(57)【要約】    【課題】      名札表示装置を偽造等した不審者を簡単に検出すること。    【解決手段】  名札表示装置１０は、電源投入によりに起動すると、コントローラ３が、ユーザの名前や所属等の表示内容と表示変更時刻等の表示変更情報を記憶手段１から取得し、その内容を表示部４の表示を行う。そして、タイマー２でカウントしている時刻が表示変更時刻になった場合、コントローラ３は、表示部４に表示変更の指示を出力して表示している色や模様、表示内容の順番等を変更させる。これにより、全ての名札表示装置１０にて、同時に表示部４の表示が変更され、ある時点での名札表示装置１０の色や模様等を偽造した不審者が侵入したとしても、名札表示装置１０の色や模様等の一定時間毎あるいは任意の時間毎に変更により容易にその不審者を発見することができる。  【選択図】      図１
2006227863.tif 000002
【特許請求の範囲】
【請求項１】
個人を特定する個人特定情報を表示する表示部を有する名札表示装置であって、
他の名札表示装置と同時に前記表示部の表示を変更する制御手段、
を有する名札表示装置。
【請求項２】
さらに、前記表示部における表示を変更する時刻および変更の態様を示す表示変更情報を記憶する記憶手段を備え、
前記制御手段は、前記表示変更情報に基づいて他の名札表示装置と同時に前記表示部の表示を変更する、
請求項１記載の名札表示装置。
【請求項３】
さらに、前記表示部における表示を変更する時刻および変更の態様を示す表示変更情報を通信により受信する通信手段を備え、
前記制御手段は、前記受信した表示変更情報に基づいて他の名札表示装置と同時に前記表示部の表示を変更する、
請求項１記載の名札表示装置。
【請求項４】
さらに、前記通信手段と通信をして認証した後に、前記通信手段に対し前記表示変更情報を送信する認証機能付き無線タグリーダ／ライタを有する、
請求項３記載の名札表示装置。
【請求項５】
さらに、充電の際、前記通信手段に対し前記表示変更情報を送信する通信機能付き充電器を有する、
請求項３記載の名札表示装置。
【請求項６】
さらに、前記通信手段との間で無線通信により前記表示変更情報を送信する無線ＬＡＮ通信器を有する、
請求項３記載の名札表示装置。
【請求項７】
請求項１〜請求項６のいずれか一の請求項に記載の名札表示装置と、
映像を撮影するカメラと、
前記カメラによる撮影映像を蓄積する画像データベースと、
前記名札表示装置からの不審者検出情報を受信する通信手段と、
前記名札表示装置からの不審者検出情報に基づいて前記カメラによる撮影を開始する制御手段と、
を備えた監視装置。
【請求項８】
請求項１〜請求項６のいずれか一の請求項に記載の名札表示装置と、
映像を撮影するカメラと、
前記カメラによる撮影映像を蓄積する画像データベースと、
前記名札表示装置からの不審者検出情報を受信する通信手段と、
前記名札表示装置からの不審者検出情報に基づいて前記画像データベースにフラグを設定し、そのフラグに基づいて前記画像データベースの蓄積画像を検索する検索手段と、
を備えた監視装置。
【請求項９】
請求項１〜請求項６のいずれか一の請求項に記載の名札表示装置と、
映像を撮影するカメラと、
前記カメラによる撮影映像を蓄積する画像データベースと、
前記名札表示装置からの不審者検出情報を受信する通信手段と、
前記名札表示装置からの不審者検出情報に基づいて前記画像データベースの蓄積画像を画像認識し、不審者を追尾するように前記カメラの撮影を制御する制御手段と、
を備えた監視装置。
【請求項１０】
表示部に個人を特定する個人特定情報を表示する場合の名札表示方法であって、
複数の名札表示装置における表示部の表示を同時に変更する名札表示方法。
【請求項１１】
コンピュータに、個人を特定する個人特定情報を表示部に表示させることを実行させるための名札表示用プログラムであって、
複数の名札表示装置における表示部の表示を同時に変更させるように実行させる名札表示用プログラム。
【発明の詳細な説明】
【技術分野】
【０００１】
本発明は、表示部に個人を特定する名前や属性等の個人特定情報を表示する名札表示装置、監視装置、名札表示方法、名札表示用プログラムに関する。
【背景技術】
【０００２】
従来の無線ＩＣタグを用いた認証システムにおいて、正規の無線タグを持っていない人物（不携帯者）を特定する技術として、従来、特許文献１に示すような技術がある。
【０００３】
図１０〜図１２は、従来の不携帯者検出システムを説明する図である。
【０００４】
図１０は、従来の不携帯者検出システムの構成を示しており、従来システムは、送受信機３１Ｂと、複数領域に配置した複数のカメラ４０Ｂとから構成されており、送受信機３１Ｂは、無線タグが領域内に入ると無線タグの電波を受信する。
【０００５】
図１１は、従来の不携帯者検出システムの不携帯者検出処理を示しており、従来は、領域内にいる無線タグ携帯者の人数を検出すると同時にカメラで領域を撮影して画像処理によって映像中の人物を検出し、領域内の人数をカウントする。カメラで撮影する人数と、無線タグで検出した無線タグ携帯者の数とが合わなければ不携帯者がいると判断する。
【０００６】
また、映像中の人物を検出する際に、図１２に示すように識別番号（ＩＤ）と人物のサイズや色の特徴を記憶したテーブルを参照して、人数だけではなく、どの人が不携帯者かを特定するようにしている。
【特許文献１】特開２００４−５５１１号公報
【発明の開示】
【発明が解決しようとする課題】
【０００７】
しかし、前述した従来の入退室管理システムで、成りすましている不審者がいる場合は、たとえ画像処理が成功してカメラ映像に不審者のいることが判ったとしても、不審者は正規のタグを持っていないのでシステムが制御できる範囲外であり、不審者のタグを光らせる等で周囲の人に不審者がいることを知らせることができないし、また、誰が正規のタグを持っていない不審者なのか周囲の人に知らせる適切な方法が無い、という課題がある。
【０００８】
そこで、本発明は、名札表示装置を偽造等した不審者を簡単に検出することができる名札表示装置、監視装置、名札表示方法、名札表示用プログラムを提供することを目的とする。
【課題を解決するための手段】
【０００９】
前記の課題を解決するために本発明の名札表示装置は、個人を特定する個人特定情報を表示する表示部を有する名札表示装置であって、他の名札表示装置と同時に前記表示部の表示を変更する制御手段、を有する構成を採る。
【発明の効果】
【００１０】
本発明の名札表示装置によれば、複数の名札表示装置における表示部の表示を同時に変更するので、名札表示装置を偽造等して成りすました不審者が進入しても、簡単に検出することができる。
【発明を実施するための最良の形態】
【００１１】
以下、本発明の実施の形態について、図面を用いて説明する。
【００１２】
（実施の形態１）
図１は、本発明に係る実施の形態１の名札表示装置１０の構成図である。
【００１３】
図１において、本実施の形態１の名札表示装置１０は、メモリ等の記憶手段１と、タイマー２と、制御手段としてのコントローラ３と、液晶表示部等の表示部４とを有している。
【００１４】
記憶手段１は、表示部４における名前や属性等の個人特定情報等の表示内容と、表示を変更する表示変更時刻や表示内容の変更態様等を示す表示変更情報を格納しておくものである。タイマー２は、時刻をカウントするもの、コントローラ３は、記憶手段１とタイマー２と表示部４を制御するものである。また、表示部４は、記憶手段１に格納されている表示内容を、表示内容変更情報により指定されている表示変更時刻が来たら、コントローラ３から指令を受けて指定された表示内容に表示を変更するものである。
【００１５】
次に、図２に示すフローチャートに基づいて、図３を参照し本実施の形態１の処理を説明する。
【００１６】
図２は、本実施の形態１の名札表示装置１０の処理を示すフローチャートである。
【００１７】
名札表示装置１０は、電源投入によりに起動すると、まず、コントローラ３が最初の表示内容と、その後の表示変更時刻や表示内容の変更態様を示す表示変更情報とを記憶手段１から取得する（ステップ２０１）。その際、表示変更時刻は、例えば、ｔ１、ｔ２、・・・、というように時系列順に指定されているとし、表示変更時刻ｔ１になった時の表示内容をＥ１、表示変更時刻ｔ２になった時の表示内容をＥ２とする。
【００１８】
コントローラ３は、タイマー２でカウントしている時刻が表示変更時刻ｔ１になったかどうかを判断し（ステップ２０２）、表示変更時刻ｔ１になった場合には（ステップ２０２“Ｙ”）、表示部４に表示変更の指示を出力して表示内容をＥ１に変更させる（ステップ２０３）。
【００１９】
例えば、図３を参照して説明すれば、正規の名札表示装置１０である名札表示装置１０Ｂと、名札表示装置１０Ｃと、名札表示装置１０Ｄとの表示を、図３（ａ）の模様から図３（ｂ）に示すような模様に変更させる。
【００２０】
そして、コントローラ３は、次の表示変更情報を記憶手段１から読み込み（ステップ２０４）、ステップ２０２に戻る。
【００２１】
そして、今度は、コントローラ３は、タイマー２がカウントしている時刻が表示変更時刻ｔ２になったかどうかを判断し（ステップ２０２）、表示変更時刻ｔ２になった場合には（ステップ２０２“Ｙ”）、表示部４に表示変更の指示を出力して表示内容をＥ２に変更し（ステップ２０３）。
【００２２】
例えば、図３を参照して説明すれば、正規の名札表示装置１０である名札表示装置１０Ｂと、名札表示装置１０Ｃと、名札表示装置１０Ｄとの表示を、図３（ｂ）に示す模様から図３（ｃ）に示すような模様に変更する。
【００２３】
そして、ステップ２０３の処理終了後は、次の表示変更情報を記憶手段１から読み込み（ステップ２０４）、ステップ２０２に戻る。
【００２４】
図３（ａ）〜（ｃ）は、それぞれ、本実施の形態１における名札表示装置１０の表示部４の表示の一例を示している。
【００２５】
図３（ａ）は、正規の名札表示装置１０Ｂ〜１０Ｄと、不正な名札表示装置５０とにおける各表示部４の表示色や模様等が同じ表示をしていることを示している。つまり、不正な名札表示装置５０は、正規の名札表示装置１０Ｂ〜１０Ｄの表示部４の表示内容を模倣して成りすましている状態を示している。
【００２６】
図３（ｂ），図３（ｃ）は、正規の名札表示装置１０Ｂ〜１０Ｄの表示部４の表示内容である色や模様が同時に変更した状態の一例を示している。つまり、成りすました不正あるいは偽造の名札表示装置５０は、正規の名札表示装置１０Ｂ〜１０Ｄの表示部４の表示内容の変更態様およびその変更時刻までは、知りえないので、表示変更時刻がくると、不正あるいは偽造の名札表示装置５０の表示と、正規の名札表示装置１０Ｂ〜１０Ｄの表示部４の表示とは異なることになり、不正あるいは偽造の名札表示装置５０は、正規の名札表示装置１０Ｂ〜１０Ｄを携帯したユーザに簡単に発見されることを示している。
【００２７】
このように、本実施の形態１によれば、予め記憶手段１に設定しておいた表示変更時刻が来るたびに、各名札表示装置１０の表示部４における色や模様を同時に変更することができるので、ある時点の名札表示装置１０の色や模様等を偽造した不審者が侵入したとしても、名札表示装置１０の色や模様等の動的な変更により、容易にその不審者を発見することができる。
【００２８】
そのため、例えば、システム等によって認証されたユーザのみに正規の名札表示装置１０を保持させると共に、そのような正規のユーザの名札表示装置１０のみに表示変更情報を提供して、名札表示装置１０の表示を同時に一斉に変更することにより、正規の名札表示装置１０の不携帯者や、模倣をした成りすましの不審者の存在を知らせて、周囲の人に正規名札表示装置１０の不審者の存在に気付かせることができると共に、名札表示装置１０の模倣が困難となり、名札表示装置１０による成りすましを防ぐセキュリティシステムを簡単に構築することができる。
【００２９】
その結果、例えば、ゾーン等でセキュリティ管理している施設において、携帯可能な識別装置である例えば、ＩＣカードを名札表示装置１０として使用すると有効であり、特に、後述するように、その名札表示装置３０から送られてくる不審者検出情報を受信装置、例えば、後述する実施の形態３の監視装置１００，２００等で受信するように構成すれば、不審者の検出した時刻や映像等を簡単に記録することができると共に、検索するセキュリティシステムを構築することができることになる。
【００３０】
（実施の形態２）
前記実施の形態１では、名札表示装置１０の色や模様等の変更内容や表示変更時刻等の表示変更情報を予め記憶手段１に設定して記憶しておくように説明したが、本実施の形態２では、通用門や入り口等のゲート装置や、通信機能付き充電器等と通信して、その表示変更時刻や色や模様などの表示内容の変更内容を変更できるようにしたものである。
【００３１】
図４は、実施の形態２の名札表示装置２０の構成を示すブロック図である。
【００３２】
図４において、実施の形態２の名札表示装置２０は、通用門や入り口等のゲート装置等と通信する通信手段５を有している。なお、その他の構成は、図１に示す実施の形態１のものと同じであるので、図１と同一符号を付して説明は省略する。
【００３３】
前記では名札表示装置１０の表示内容と表示する時刻のデータについては、予め記憶手段１に格納されるとしたが、記憶手段１に格納する表示変更時刻や色や模様などの表示内容の変更内容の表示変更情報を更新する方法としては、図５（ａ）〜（ｃ）に示す方法がある。
【００３４】
図５（ａ）に示す方法は、認証機能付き無線タグリーダ／ライタ１２を、例えば、図６に示すように居室の入り口などに設けて、通信手段５を有する本実施の形態２の名札表示装置２０を携帯した者が、その入り口などを通行する際、記憶手段１に格納する表示変更時刻や表示の色や模様などの表示内容を示す表示変更情報を更新させる方法である。
【００３５】
この場合、認証機能付き無線タグリーダ／ライタ１２と通信をするので、認証機能付き無線タグリーダ／ライタ１２に接続されたシステムから認証を受けたユーザのみが、正規ユーザとして名札表示装置２０の表示を正規に変えることができ、一定のゾーン等でセキュリティ管理している会社や研究所内等の施設において、簡単かつ適応的に表示変更情報を送信および更新することが可能となる。
【００３６】
図５（ｂ）に示す方法は、図８に示すように認証機能として例えば、画像認識手段等を設けた構内無線ＬＡＮ通信器１３に接続できるユーザはネットワークに接続する際に認証を受けたものとし構内無線ＬＡＮ通信器１３から名札表示装置２０にダウンロードする方法である。
【００３７】
図５（ｃ）に示す方法は、居室にある通信機能付き充電器１４を用いて、居室に入れた場合には正当な認証を受けたものとして充電時に名札表示装置２０にダウンロードする方法である。
【００３８】
このように、本実施の形態２によれば、前記実施の形態１と同様に、簡単にその不審者を発見することができると共に、名札表示装置２０に通信手段５を設けて、その通信手段５により、通用門や入り口等のゲート装置に設けた認証機能付き無線タグリーダ／ライタ１２、無線ＬＡＮ通信器１３、通信機能付き充電器１４等と通信して、その表示変更時刻や色や模様などの表示内容の変更内容等の表示変更情報を定期または任意に変更するようにしたので、場所を限定してそれらの表示変更情報を変更することができると共に、それらの情報が盗まれたとしても、容易にそれらの表示変更情報を変更して、全ての名札表示装置２０に通知することが可能となり、実施の形態１の場合と較べて、よりセキュリティを向上させることができる。
【００３９】
なお、本実施の形態２では、通信手段５を有しており、表示変更時刻や変更態様等の表示変更情報を外部から受信することが可能であるので、タイマー２を省略して、外部からの一定時間毎あるいは任意の時間毎の表示変更情報に基づいて、一定時間毎あるいは任意の時間毎に表示部４の表示内容を変更するようにしても勿論よい。
【００４０】
また、記憶手段１にダウンロードする以外の方法としては、無線ＬＡＮ通信器１３等の送信手段によって無線により表示を変更する旨の信号と表示内容を送り、信号を受けると適宜名札表示装置２０の表示を変更する方法もある。この場合、タイマー２の他に、記憶手段１も不要となる。なお、送信手段は、無線以外の方法でも勿論良い。
【００４１】
（実施の形態３）
本実施の形態３は、通信手段を有する名札表示装置を利用した監視装置を提供するものである。
【００４２】
図７は、本発明に係る実施の形態３の名札表示装置３０と、監視装置１００の構成を示すブロック図である。
【００４３】
本実施の形態３の名札表示装置３０は、記憶手段１と、タイマー２と、コントローラ３と、表示部４と、通信手段５と、不審者検出ボタン６とを有しており、通信手段５を介し表示変更時刻や変更態様等の表示変更情報を受信するだけでなく、不審者検出情報を監視装置１００へ送信する通信機能を有している。
【００４４】
また、本実施の形態３の監視装置１００は、コントローラ１０１と、通信手段５を有する前記実施の形態２の名札表示装置３０との間で不審者検出情報や表示変更時刻や変更態様等の変更情報等を通信する通信手段１０２と、カメラ１０３と、カメラ映像を検索する検索手段１０４と、名札表示装置３０から不審者検出情報や変更情報を蓄積する名札更新データベース（以下、ＤＢと略す。）１０５と、カメラ映像を蓄積する画像ＤＢ１０６とを有している。
【００４５】
なお、本実施の形態３の名札表示装置３０では、実施の形態１の名札表示装置１０と同様に、表示変更時刻や変更態様等の変更情報を受信して変更する必要がない場合には、監視装置１００における名札更新ＤＢ１０５は省略しても良い。
【００４６】
次に動作を説明する。
【００４７】
本実施の形態３では、まず、ある名札表示装置３０のユーザが名札表示装置３０の表示部４の色や態様が変化しない不審者を発見し、その名札表示装置３０においてユーザにより不審者検出ボタン６が押下されると、通信手段５を介して、監視装置１００へ不審者検出情報が送信される。
【００４８】
すると、監視装置１００では、名札表示装置３０からの不審者検出情報を通信手段１０２により受信し、コントローラ１０１は、例えば、カメラ１０３に指令を出して、その名札表示装置３０が存在する居室等を撮影し、撮影した画像を画像ＤＢ１０６へ保存することができる。
【００４９】
このようにすれば、本実施の形態３の監視装置１００では、名札表示装置３０からの不審者検出情報に基づき画像を撮影して記録することができ、不審者が存在する場合のみ監視装置１００の使用者に警告情報を伝達して自動撮影することが可能となり、画像ＤＢ１０６の記憶容量が少なくても、効率よく撮影画像を記録することできる。
【００５０】
なお、撮影の終了は、同じ名札表示装置３０からの再度の不審者検出ボタン６等の押下を不審者退去情報等と予め決めておけば、同じ名札表示装置３０からの再度の不審者検出ボタン６等の押下による不審者退去情報により、監視装置１００では、カメラ１０３による撮影および画像ＤＢ１０６への撮影画像の記録を終了するようにしても良い。
【００５１】
また、本実施の形態３の監視装置１００では、常にカメラ１０３により居室等を撮影して、撮影した画像を画像ＤＢ１０６へ保存しており、ある名札表示装置３０から不審者検出情報を通信手段１０２により受信した場合は、コントローラ１０１は、画像ＤＢ１０６へ指令を出して、その時点の撮影画像に不審者検出フラグ等を付加するようにすることも可能である。
【００５２】
このようにすれば、本実施の形態３の監視装置１００では、検索手段１０４が、画像ＤＢ１０６を検索する際、その不審者検出フラグ等に基づいて撮影画像を検索することができ、画像ＤＢ１０６に記憶された撮影画像が大量の場合でも、簡単かつ迅速に不審者が検出された際の撮影画像を検索することができる。
【００５３】
また、本実施の形態３では、図８に示すように監視装置２００を構成するようにしても勿論よい。
【００５４】
図８は、本発明に係る実施の形態３の名札表示装置３０と、監視装置２００の別の構成を示すブロック図である。
【００５５】
図８において、名札表示装置３０は、図７の名札表示装置３０と同様に構成されている一方、監視装置２００は、図７に示す監視装置１００とは異なり、検索手段１０４の代わりに、不審者の画像を認識する画像認識手段１０７を設けている。
【００５６】
次に動作を説明すると、基本的には、図７に示す監視装置１００の場合と同様であるが、この図８に示す場合には、監視装置２００では、名札表示装置３０からの不審者検出情報を通信手段１０２により受信し、コントローラ１０１は、例えば、カメラ１０３に指令を出して、その名札表示装置３０が存在する居室等を撮影し、撮影した画像を画像ＤＢ１０６へ保存する。ここまでは、図７に示す監視装置１００の場合と同様である。
【００５７】
図８の場合、画像認識手段１０７があるので、画像ＤＢ１０６に蓄積されたカメラ１０３からの撮影画像を入力して画像認識を行い、その撮影画像のなかで不審な動きをする不審者を検出する。そして、不審者を検出できた場合、画像認識手段１０７は、居室等における不審者の検出位置や方向等をコントローラ１０１に送る。
【００５８】
すると、コントローラ１０１は、不審な動きをする不審者を自動追尾して撮影するようカメラ１０３に指令を出して、カメラ１０３は不審者を自動追尾しながら撮影し、不審者を自動追尾した撮影画像が画像ＤＢ１０６に記録されることになる。
【００５９】
なお、カメラ１０３は、名札表示装置３０からの不審者検出情報の入力により撮影を開始するのと同時に画像認識手段１０７の認識結果に基づく自動追尾撮影を開始しても良いし、また、常時撮影しており、名札表示装置３０からの不審者検出情報が入力した場合のみ、画像認識手段１０７の認識結果に基づく自動追尾に切り替わるようにしても良い。
【００６０】
このようにすれば、図８に示す本実施の形態３の監視装置２００では、画像認識手段１０７の認識結果に基づく自動追尾撮影が可能となるので、より詳細に不審者を撮影することができる。
【００６１】
特に、画像認識手段１０７が撮影画像から不審者を認識する際、監視装置１００，２００では、名札更新ＤＢ１０５等の表示変更情報や記憶情報により、正規の名札表示装置３０の形状や色や模様の変化等が判っているので、例えば、正規の名札表示装置３０の形状や色や模様の変化等も参照して画像認識を行うことにより、正規の名札表示装置３０を携帯しない不審者を特定することがさらに容易かつ確実になり、認識精度をさらに向上させることができる。このため、正規の名札表示装置３０を携帯しない不審者のみをより確実に追尾等して撮影することが可能になると共に、この映像を保存した画像ＤＢ１０６から精度良く検索できる等、成りすましに対応した精度の良いセキュリティシステムを提供することが可能となる。
【００６２】
（実施の形態４）
本実施の形態４は、前記実施の形態１〜３において、名札表示装置１０〜３０において表示部４をどのように変更するかについて説明するものである。
【００６３】
図９（ａ）〜（ｃ）は、実施の形態１〜３の名札表示装置１０〜３０において表示部４を変更する場合の一例を示す図である。
【００６４】
図９（ａ）は、名札表示装置１０〜３０において表示部４の基本的な表示例を示しており、表示部４は、社名が表示される社名表示部４１と、部署名が表示される部署名表示部４２と、名前を表示される名前表示部４３とから構成されており、コントローラ３の制御により、これらの表示部４１〜４３が切り替わる。
【００６５】
つまり、まず、図９（ａ）に示すように、名札表示装置１０〜３０の表示部４には、上から、社名表示部４１、名前表示部４３、部署名表示部４２の順に表示されているとする。
【００６６】
そして、表示変更時刻ｔ１が経過した場合には、コントローラ３から表示部４へ指令が出され、図９（ａ）から図９（ｂ）に示すように、表示部４には、上から、社名表示部４１、部署名表示部４２，名前表示部４３の順の表示に切り替わるものとする。
【００６７】
そして、さらに表示変更時刻ｔ２が経過した場合には、コントローラ３から表示部４へ指令が出され、図９（ｂ）から図９（ｃ）に示すように、表示部４には、上から、名前表示部４３、部署名表示部４２、社名表示部４１の順の表示に切り替わるものとする。
【００６８】
ここで、表示部４の表示内容である社名表示部４１、部署名表示部４２、名前表示部４３の表示位置を変更する際、社名表示部４１、部署名表示部４２、名前表示部４３の表示位置を変更するだけでなく、例えば、社名表示部４１等の背景の表示色や模様、明るさ、点滅する、点滅しない、さらには名前表示部４３における名前のフォント等を変更するようにしても勿論よい。
【００６９】
また、図９（ａ）から図９（ｃ）に示すように、社名表示部４１、部署名表示部４２、名前表示部４３の表示位置を変更するだけでなく、例えば、社名表示部４１等の背が色付き（図９（ａ））から、グラデーション様式（図９（ｂ））、網目模様（図９（ｃ））に変更するようにしても勿論良い。
【００７０】
また、名前表示部４３での名前の表示は、社名表示部４１、部署名表示部４２、名前表示部４３の表示位置を変更するだけでなく、図９（ａ）から図９（ｂ）、また図９（ｂ）から図９（ｃ）に示すように、名前のフォントを変更するようにしても勿論よい。
【００７１】
このように、本実施の形態４によれば、名札表示装置１０〜３０における表示部４の表示を、表示位置や、フォント、背景表示等の点で適宜変更するので、名札表示装置１０〜３０の表示を模倣することが従来の名札表示装置に比べて困難となる。
【００７２】
その結果、表示部４の表示内容を適宜変更することにより、さらに名札表示装置１０〜３０の模倣が困難となり、名札表示装置１０によるなり済ましをより確実に防止することができることになる。
【００７３】
なお、このような表示部４の表示の変更は、図１に示す実施の形態１のようにタイマー２による時間計測に基づいても、あるいは図４に示す実施の形態２等のように通信手段５を介した外部からの変更指示に基づくものでも、どちらでも良い。
【００７４】
また、前述の実施の形態１〜４では、名札表示装置１０〜３０を図１や図４等に示すようにハードウエア（回路）的に構成して説明したが、本発明では、これに限らず、例えば、ソフトウエア的、つまり、名札表示用プログラムを名札表示装置１０〜３０内の記憶手段１等のメモリに格納しておき、ＣＰＵ等のコントローラ３がそのプログラムを読み出して実行するようにしても勿論よい。
【産業上の利用可能性】
【００７５】
本発明に係る名札表示装置、名札表示方法、名札表示用プログラムによれば、複数の名札表示装置における表示を同時に変更するので、名札表示装置を偽造等して成りすました不審者を簡単に検出することができるという効果を有し、屋内外における不審者検出のための簡易なセキュリティシステムとして有用である。また、これらの名札表示装置と通信する監視装置によれば、名札表示装置からの不審者検出情報に基づき画像を撮影して記録したり、名札表示装置から不審者検出情報が入力したときに撮影画像に不審者検出フラグ等を付加したり、画像認識をして不審者の自動追尾撮影が可能となるので、撮影画像を記録するＤＢの容量を削減したり、容易に検索および自動追尾撮影が可能となり、使い勝手の良いセキュリティシステムを簡単に構築することができ、監視装置としても有用である。
【図面の簡単な説明】
【００７６】
【図１】本発明に係る実施の形態１の名札表示装置の構成を示すブロック図
【図２】実施の形態１の名札表示装置の処理を示すフローチャート
【図３】（ａ）〜（ｃ）それぞれ、本実施の形態１における名札表示装置の表示部の表示の一例を示す図
【図４】実施の形態２の名札表示装置の構成を示すブロック図
【図５】（ａ）〜（ｃ）それぞれ、実施の形態２の名札表示装置への表示変更情報を更新させる方法を示す図
【図６】認証機能付き無線タグリーダ／ライタを設ける場所の一例を示す図
【図７】実施の形態３の名札表示装置と、監視装置の構成を示すブロック図
【図８】実施の形態３の名札表示装置と、監視装置の他の構成例を示すブロック図
【図９】（ａ）〜（ｃ）それぞれ、実施の形態１〜３の名札表示装置において表示部を変更する場合の一例を示す図
【図１０】従来の不携帯者検出システムの構成を示す図
【図１１】従来の不携帯者検出システムの不携帯者検出処理を示すフローチャート
【図１２】従来の不携帯者検出システムにおける不携帯者の特定を示す図
【符号の説明】
【００７７】
１  記憶手段
２  タイマー
３  コントローラ（制御手段）
４  表示部
５  通信手段
１０，２０，３０  名札表示装置
１２  認証機能付き無線タグリーダ／ライタ
１３  無線ＬＡＮ通信器
１４  通信機能付き充電器
１００，２００  監視装置
１０１  コントローラ（制御手段）
１０２  通信手段
１０３  カメラ
１０４  検索手段
１０５  名札更新ＤＢ
１０６  画像ＤＢ
１０７  画像認識手段
【図１】
2006227863.tif 000003
【図２】
2006227863.tif 000004
【図３】
2006227863.tif 000005
【図４】
2006227863.tif 000006
【図５】
2006227863.tif 000007
【図６】
2006227863.tif 000008
【図７】
2006227863.tif 000009
【図８】
2006227863.tif 000010
【図９】
2006227863.tif 000011
【図１０】
2006227863.tif 000012
【図１１】
2006227863.tif 000013
【図１２】
2006227863.tif 000014